【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
インクジェット画像形成装置を調整するための方法であって、
インクジェット画像形成装置の、プリントヘッドの少なくとも１つのインクジェットによって吐出されたインク滴の回転画像受け取り部材上の液滴配置位置を識別するステップと、ここで、前記回転画像受け取り部材は、処理方向に回転し、
前記少なくとも１つのインクジェットの前記回転画像受け取り部材上の前記識別された液滴配置位置とデフォルト液滴配置位置との間の液滴配置位置の差異を求めるために、前記少なくとも１つのインクジェットによって前記回転画像受け取り部材上に吐出されたインク滴の前記識別された液滴配置位置を、前記少なくとも１つのインクジェットの前記回転画像受け取り部材上の前記デフォルト液滴配置位置と比較するステップと、
前記少なくとも１つのインクジェットによって前記回転画像受け取り部材上に吐出されたインク滴の識別された液滴配置位置と、少なくとも１つのインクジェットのデフォルト液滴配置位置との、前記回転画像受け取り部材の処理方向に沿った位置での差異を計算するステップと、ここで、前記回転画像受け取り部材の処理方向に沿った位置での差異は、少なくとも１つのインクジェットによって前記回転画像受け取り部材上へ吐出されたインク滴の処理方向変位値に対応し、
少なくとも１つのインクジェットによって前記回転画像受け取り部材に吐出されたインク滴の質量が、少なくとも１つのインクジェットのデフォルト液滴配置位置に対応するインク滴質量の許容範囲内かどうかを決定するために、少なくとも１つのインクジェットによって前記回転画像受け取り部材に吐出されたインク滴の処理方向変位値を、閾値と比較するステップと、そして、
少なくとも１つのインクジェットによって前記回転画像受け取り部材に吐出されたインク滴の質量が前記許容範囲でない場合に、前記少なくとも１つのインクジェットのインクジェット駆動信号の電圧の振幅を調整するステップと、
を含むことを特徴とする方法。
【請求項２】
前記回転画像受け取り部材上の液滴配置位置を識別する前に、プリントヘッドの少なくとも１つのインクジェットを用いて、回転画像受け取り部材上に校正パターンを印刷するステップを更に有する請求項１に記載の方法。
【請求項３】
前記回転画像受け取り部材上の液滴配置位置を識別するステップは、
前記回転画像受け取り部材の近傍で前記インクジェット画像形成装置に取り付けられたドラムセンサで、前記回転画像受け取り部材上の校正パターンを光学的に走査するステップを有し、ここで、前記ドラムセンサは、前記回転画像受け取り部材上の校正パターンにおけるインク滴の識別を可能にするために、前記回転画像受け取り部材上の前記校正パターンによって反射される光の量に対応する電気信号を生成するための光源及び光センサを有している、請求項２に記載の方法。
【請求項４】
回転画像受け取り部材を光学的に走査するステップは、
前記回転画像受け取り部材上の校正パターンを前記ドラムセンサの前記光源で照射するステップと、
前記光センサによって、前記回転画像受け取り部材上の校正パターンから反射される光から前記光センサによって受光される光の量に対応する電気信号を生成するステップと、ここで、前記電気信号は、前記回転画像受け取り部材上にインク滴が位置する場所を表す光センサによって受光された反射光の量に対応し、そして、
前記光センサによって生成された電気信号を、位置比較器を有するコントローラで処理して、前記光センサによって生成された電気信号に対応するインク液位置とデフォルト液滴配置位置との間の空間的差異を決定するステップと、
を更に有する請求項３に記載の方法。
【請求項５】
前記インクジェット駆動信号の電圧の振幅を調整するステップは、
少なくとも１つのインクジェットによって前記回転画像受け取り部材に吐出されたインク滴の処理方向変位値に対応する予め決められた換算係数を参照して、少なくとも１つのインクジェットのインクジェット駆動信号の電圧の振幅を調整するステップを有する、請求項１に記載の方法。
【請求項６】
少なくとも１つのインクジェットがインクジェット駆動信号の電圧の調整された振幅で動作し、そして許容範囲内の質量を有するインク滴を前記回転画像受け取り部材上に吐出することができるよう、少なくとも１つのインクジェットのインクジェット駆動信号の電圧の振幅をメモリに格納するステップを更に有する請求項１に記載の方法。
【請求項７】
インクジェット印刷における液滴質量の変化を補償するためのシステムであって、
位相変化インクジェットの液滴を吐出するよう構成されたインクジェットを有するプリントヘッドと、
前記プリントヘッドと対向して配置され、前記プリントヘッドのインクジェットによって吐出されたインク滴を処理方向に回転しながら受け取る回転画像受け取り部材と、
光源及び光センサを有し、前記光源が光を前記回転画像受け取り部材に向けられるように向けることができ、かつ、光センサが前記回転画像受け取り部材による反射光を受け取ることができるように前記回転画像受け取り部材の近傍に配置されたドラムセンサと、ここで、前記光センサは、受け取る反射光の量に対応する電気信号を生成するよう構成されており、
前記光センサによって生成された電気信号を受け取るために前記光センサと作動的に接続されている位置比較器を有するコントローラと、ここで、前記位置比較器は、前記光センサによって生成される電気信号に対応するとインク滴の位置と、前記電気信号に対応するインク滴の位置にインク滴を吐出するインクジェットのデフォルト液滴配置位置との間の空間的な差異を決定するよう構成され、前記コントローラは、前記光センサによって生成された電気信号に対応するインク滴の位置と、前記電気信号に対応するインク滴の位置にインク滴を吐出するインクジェットのデフォルト液滴配置位置との間の、前記回転画像受け取り部材の処理方向における位置との差異を決定するよう構成されており、
前記プリントヘッドに作動的に接続され、前記プリントヘッド内のインクジェットにインク滴を回転画像受け取り部材に吐出するよう動作させるよう構成され、そして回転画像受け取り部材上にインク滴を吐出した各インクジェットの前記回転画像受け取り部材の処理方向における差異と閾値とを比較して、前記回転画像受け取り部材上に吐出された各インク滴が許容範囲内の質量を有するか否かを決定し、そして、前記許容範囲内にない質量を有するインク滴を吐出した各インクジェットのインクジェット駆動信号の電圧の振幅を調整する、プリントコントローラと、
を有することを特徴とするシステム。
【請求項８】
前記プリントコントローラは、前記回転画像受け取り部材上に校正パターンを印刷するよう、プリントヘッドのインクジェットを動作させるものである、請求項７に記載のシステム。
【請求項９】
前記コントローラは、前記許容範囲外の質量を有するインク滴を前記回転画像受け取り部材に吐出した各インクジェットのための回転画像受け取り部材の処理方向における差異に対応する換算係数を参照して、前記許容範囲外の質量を有するインク滴を前記回転画像受け取り部材に吐出した各インクジェットのインクジェット駆動信号の電圧の振幅を調整するよう構成されている、請求項７に記載のシステム。
【請求項１０】
前記回転画像受け取り部材は、回転ドラムである、請求項７に記載のシステム。